(57)【要約】【課題】設置されたすべてのガスバーナの包括的な上げ下げを可能にすることによって、天板の清掃作業を容易にするガスコンロを提供。【解決手段】ガス導入管20と、このガス導入管20に接合されるガスバーナ14とを有するガスコンロ10は、さらに、ガスバーナ14の一つの端と、他の一端とは、中心軸の方向が異なる形状を有し、ガス導入管20とガスバーナ14とを密封接合し、かつガスバーナ14の回動を可能とするヒンジ54を有する。これによって、ガスコンロ10に設けられているガスバーナ10すべての包括的な上げ下げが可能となるので、ガスバーナ本体32および五徳36付近の凹凸部に妨げられずに、天板18の清掃作業を容易にすることができる。【選択図】図１
2009168372.tif 000002
【特許請求の範囲】
【請求項１】
ガス導入管と、
前記ガス導入管に接合されるガスバーナと、
前記ガス導入管が配設され、前記ガスバーナを載置する本体とを含むガスコンロであって、
前記ガスバーナの一端と他端とは中心軸の方向が異なる形状を有し、
該ガスコンロはさらに、
前記ガス導入管と前記ガスバーナとを密封接合し、かつ該ガスバーナの前記他端を通る中心軸を中心とする回動を可能とする接合手段を含むことを特徴とするガスコンロ。
【請求項２】
請求項１に記載のガスコンロにおいて、該ガスコンロはさらに、前記ガスバーナを前記本体上で支持する支持手段を含むことを特徴とするガスコンロ。
【請求項３】
請求項１に記載のガスコンロにおいて、前記ガスバーナおよびガス導入管は複数設けられ、
該ガスコンロは、該複数のガスバーナを前記本体上で支持する支持手段を含むことを特徴とするガスコンロ。
【請求項４】
請求項２または３に記載のガスコンロにおいて、該ガスコンロはさらに、前記本体に前記支持手段を可動的に接続する接続手段を含むことを特徴とするガスコンロ。
【発明の詳細な説明】
【技術分野】
【０００１】
本発明は、ガスコンロに関するものである。
【背景技術】
【０００２】
従来から、加熱調理を行う場合には、さまざまな加熱器具が用いられてきた。加熱器具には、ガステーブル等と呼称されることもあるガス式コンロ、すなわちガスコンロの他、液体燃料式コンロ、電気式コンロ、ＩＨ（ｉｎｄｕｃｔｉｏｎ  ｈｅａｔｉｎｇ）クッキングヒーター等が存在するが、ガスコンロは、他の方式のコンロと比較して安定した火力を得やすい点、強い火力を得られる点、また、運用コストが比較的安価であるという点等で人気が高い。
【発明の開示】
【発明が解決しようとする課題】
【０００３】
しかし、従来のガスコンロは、ガスバーナ本体部、五徳部といった燃焼口付近に多数の凹凸部が存在していた。そのため、たとえば天板部分が平坦なＩＨクッキングヒーターに比べて、煮こぼれや調理かすが、天板のバーナの開口部分からガスコンロ本体の中等に落ちた場合の清掃作業が困難であり、だんだん掃除をしなくなり、サビが発生してきたり、汚れの増加と掃除の敬遠から不快感の原因となっていた。
【０００４】
本発明はこのような課題に鑑み、天板の清掃作業を容易にするガスコンロを提供することを目的とする。
【課題を解決するための手段】
【０００５】
上述の課題を解決するために、本発明では、ガスバーナの上げ下げを可能にする構成をとる。すなわち、ガス導入管と、ガス導入管に接合されるガスバーナと、ガス導入管が配設され、ガスバーナを載置する本体とを含むガスコンロは、ガスバーナの一端と他端とは中心軸の方向が異なる形状を有し、さらに、ガス導入管とガスバーナとを密封接合し、かつガスバーナの他端を通る中心軸を中心とする回動を可能とする接合手段を含む。
【発明の効果】
【０００６】
本発明によれば、ガスコンロに設けられているガスバーナすべての包括的な上げ下げが可能となるので、燃焼口付近の凹凸部に妨げられずに、本体の清掃作業を容易にすることができる。
【発明を実施するための最良の形態】
【０００７】
次に添付図面を参照して本発明によるガスコンロの実施例を詳細に説明する。図１を参照すると、本発明の実施例によるガスコンロ10は、全体として、ガスコンロ本体12、３個のガスバーナ14および枠体16で構成されている。もちろん、ガスバーナ14は、１または任意の複数個であってよい。
【０００８】
ガスコンロ本体12の上面は天板18を形成し、この実施例において天板18は、拭き掃除をしやすいように平坦面となっている。また、天板18をさらに拭き掃除しやすくするためには、天板18は、ガラスコートを施されたガラストップの天板であると望ましい。
【０００９】
天板18の背板24付近には、ガス導入管20が突設され、このガス導入管20の一端20aは、ガスコンロ本体12の上面から図示のように突出されている。ガス導入管の他方の端（図示せず）は、ガスコンロ本体12の内部に含まれている不図示のガス開閉コックと繋がっている。本実施例では、ガス導入管20の一端20aは、ガスコンロ本体12の上面から図示のように突出されているが、ガスコンロ本体12の内部に配設される、またはガスコンロ本体12の背面部に配設される等、本実施例による位置に限られない。ガス導入管20は、ガス開閉コックが開かれると、そのガス開閉コックがある側である図示しない一端からガス燃料を導入され、ガスコンロ本体12の上面から突出されている別の一端20aへ、ガス燃料を導くための通路となる。
【００１０】
図２は、図１に示す実施例の正面図である。ガスコンロ本体12の正面前部には、点火コック22が配設され、利用者が点火コック22を操作すると、この操作に連動して、ガスコンロ本体12の内部に含まれている不図示のガス開閉コックが開閉される構造になっている。また、ガスコンロ本体12の正面後部には、上方へ向けて背板24が立設されていてもよく、立設された場合、背板24は、たとえばガスコンロ10の使用の際、周辺後部に油が飛散することを防止したり、後述のように跳ね上げられたガスバーナ14および枠体16が所定の角度、たとえば略直角以上の角度に跳ね上がることを防ぐための抑止部としての役割が課される。
【００１１】
ガスバーナ14は、その一端にガスノズル26を有している。ガスノズル26のパイプ部分は、図示のように略Ｌ字状に屈曲していることにより、すなわち、ガスバーナ14全体として、ガスバーナ本体32側の一端と、他方の側の一端とで、中心軸が伸長する方向が異なる形状を構成している。そのガスノズル26の一端は円管形状のパイプをなし、ガスノズル26の他方の端であるガス噴出口部分26a（図６）まで伸長されている。
【００１２】
なお、本実施例では、このパイプ部分はＬ字状に屈曲されているが、ガス導入管20の配置場所または中心軸が伸長する方向に応じて、所望の方向へガスバーナ14の回動を可能にすべく、他の形状に屈曲されていてもよい。すなわち、屈曲角度は直角である必要はなく、また、ガスバーナ本体32側の一端と、他方の側の一端とで、中心軸が伸長する方向が異なる限りにおいて、複数箇所が屈曲していても構わない。ガスノズル26のパイプ部分側にある一端からガス燃料の供給を受け、パイプ内を通過して、ガス噴出口部分26aからガス燃料が噴出される。
【００１３】
ガスノズル26のガス噴出口部分26aは、一次空気取入口28を有する側であるガスバーナ管30の一端に挿着され、ガス燃料と、一次空気取入口28から取り入れられた空気とからなる混合気が、ガスバーナ管30の管内部で生成される。ガスバーナ管30の他方の端には、ガスバーナ本体32が接続され、ガスバーナ管30の管内部で生成された混合気は、ガスバーナ本体32へ送られる。ガスバーナ本体32には、火炎口34が設けられ、混合気は、この火炎口34から二次空気が追加されて、燃焼に至る。
【００１４】
ガスバーナ本体32には、五徳36が取り付けられる。五徳36は利用者が加熱調理をする際、鍋、フライパン等の調理器具を乗せる用に供する。本実施例において五徳36はガスバーナ本体32と一体になった構成をとっているが、これに限らず、五徳36はガスバーナ本体32から分離できるような構成をとってもよい。なお、ガスバーナ本体32には、たとえば、空焚き防止安全装置38や立消防止安全装置40が設けられていると、利用者の安全を図る点に鑑みれば望ましい。その場合には、ガスコンロ本体12に接続されるための配線が必要になるが、図３で示すように、ガスバーナ14の円滑な上げ下げを妨害しないよう、空焚き防止安全装置の配線42や立消防止安全装置の配線44を、可能な限り枠体16に沿って配置することが望ましい。もっとも、符号42や符号44の配線の配置場所は、ガスバーナ14の円滑な上げ下げが確保される限りにおいて、ガスバーナ管30の外周等の適宜な場所であってよい。
【００１５】
枠体16は、通常の使用状態、すなわち、初期状態においては、全体としてガスバーナ14の下部に敷設されてガスバーナ14の支持手段の役割を果たすとともに、複数のガスバーナ14の連結手段の役割を果たす。以下、本実施例において、ガスバーナ14を跳ね上げた状態における正面図である図４および同状態における側面図である図５を参照して、枠体16の構成および機能の説明を行う。
【００１６】
枠体16は、ガスバーナ支持部材46を有している。支持部材46は、ガスバーナ14を支持し、ガスバーナ14の支持手段の役割を果たしている。支持部材46は、他の支持部材46との間で、連結部材48が架設されて、この連結部材48が支持部材46同士の連結手段となることにより、全体として一体構造をなし、この構造によって、ガスコンロ10に含まれるすべてのガスバーナ14および支持部材46が、枠体16として一体となって上げ下げされることとなる。
【００１７】
なお、本実施例においては、左右に設けられたガスバーナ14の間に架設される連結部材48に、取っ手50が装着されている。取っ手50は必ずしも設ける必要はないが、取っ手50が装着されることにより、利用者にとっては、取っ手50を把持して図３における矢印Ａの方向に持ち上げて、ガスバーナ14を、より容易に上げ下げできることとなる。もちろん、取っ手50は実施例の位置に限らず、ガスバーナ14の上げ下げが容易となる限りにおいて、枠体16のいずれの位置に装着されていてもよい。
【００１８】
また、支持部材46の一端には、さらに接続部材52が固着されている。本実施例においては、接続部材52は略Ｕ字状に屈曲した形状をしている。接続部材52は、一次空気取入口28を有する側であるガスバーナ管30の一端付近を支持するとともに、枠体16とガスコンロ本体12とを接続する機能を有している。
【００１９】
なお、本実施例においては、枠体16は、支持部材46、連結部材48、取っ手50および接続部材52を構成部材として、これらの構成部材を組み合わせることにより、所望の形状である枠体16を形成しているが、所望の枠体16の形状を金型に一体成型する等して、当初から１つの枠体16を形成する手法を採用してもよい。
【００２０】
ガスコンロ本体12と枠体16との接続手段として、本実施例ではヒンジ54を用いている。枠体16のうち、接続部材52の両端部分にヒンジ54の一端が取り付けられ、ヒンジ54の他方の端は、ガスコンロ本体12の上面後部に設けられた突起部分に取り付けられている。
【００２１】
ガスバーナ14は、枠体16に支持される位置関係になるようにガスコンロ本体12と接続される。ガスコンロ本体12とガスバーナ14との接続については、図６を参照して説明する。図６は、図１における一点鎖線矢印VIから見た断面を示し、より具体的には、ガスコンロ本体12の一部であるガス挿入管20と、ガスバーナ14の一部であるガスノズル26との接合状態を示す断面である。
【００２２】
ガスノズル26のうち、ガス噴出口部分26aがある側とは他方の側、すなわち、先端までパイプ部分となっている側の一端の先端近くには、溝部56が形成されている。この溝部56に、接合手段として、たとえば弾性材料のＯリング58を装着する。そして、ガスノズル26のパイプ部分のうち、少なくともＯリング58を装着した部分のすべてがガス導入管20の内部に含まれるように挿入することによって、ガス導入管20とガスノズル26との接合がなされる。
【００２３】
Ｏリング58を用いた接合をすることによって、ガス燃料が外界に流出しないよう密封が図られるとともに、ガスノズル26のパイプ部分の円管中心部を軸として、ガスノズル26を回動させることが可能になる。また、接合部の接合手段がＯリングのような弾性体であると、ガスバーナ14の上げ下げが容易となり、また、ガスバーナ14の消耗に伴う交換の際における着脱が容易となる。
【００２４】
もっとも、ガス挿入管20とガスノズル26との接続は、本実施例においてはＯリング58を用いているが、Ｏリングに限らず、ガス燃料が外界に流出しないよう密封が図られ、なおかつガスノズル26の回動が確保される他の接合手段、すなわちリップパッキン等の他の運動用密封装置を用いても構わない。
【００２５】
続いて、ガスバーナ14の跳ね上げ動作に関する説明を行う。利用者が取っ手50を把持して矢印Ａの方向に持ち上げると、その押し上げる力が連結部材48を経て支持部材46に伝えられる。支持部材46は、支持しているガスバーナ14に押し上げる力を与える。ガスバーナ14は、ガスノズル26のパイプ部分がＬ字状に屈曲していることにより、ガスノズル26のパイプ部分の円管中心部を中心軸にして回動されることとなる。
【００２６】
なお、本実施例で示すように、ガスコンロ本体12と枠体16とをヒンジ54で接続する構成をとると、ガスコンロ本体12と接続されたヒンジ54の回動軸を支点として、枠体16全体が回動される。したがって、ヒンジ54でガスコンロ本体12と枠体16とを接続する構成をとらない場合と比べて、相対的に小さな力でガスバーナ14を跳ね上げることができるので、望ましい実施形態となる。なお、ヒンジ54はスプリングヒンジであると、特にガスバーナ14の上げ下げを容易にすることができるので、より望ましい実施形態となる。
【００２７】
また、ガスバーナ14の跳ね上げの時は軽度の力で枠体16の回動を可能にして、かつ、跳ね下げの時には所定量以上の力を加えない限り枠体16が回動しないようにすべく、ヒンジ54には、たとえばワンウェイヒンジなど、一旦跳ね上がったガスバーナ14及び枠体16が自然に下がることを防ぐ機能を有する部品を用いると、さらに望ましい実施形態となる。これにより利用者は跳ね上げたガスバーナ14を任意の位置で止めることが可能となり、ガスバーナ14や枠体16の自重、もしくは不意の接触などによって、利用者が意図しないにもかかわらず初期状態に戻ることを防ぐことができるので、利用者の安全かつ最適な清掃作業に資すことになる。もちろん、ヒンジとは別にガスバーナ14及び枠体16が自然に下がることを防ぐ機能を有する部品を設置してもよい。
【００２８】
また、枠体16は、ヒンジ54によってガスコンロ本体12と接続されることによって、枠体16を持ち上げる力が、ガスレンジ10の正面から見て多少左右に傾いた方向にかけられた場合でも、ガス導入管20とガスノズル26との接合部分に、ガスノズル26の回動方向以外の方向へ力がかけられることを防ぎ、ガスノズル26のパイプ部分やＯリング58の磨耗や破損を防止するという役割を果たす。
【００２９】
ガスバーナ14が枠体16とともに跳ね上げられることにより、調理作業によって汚れた天板18をガスバーナ14に邪魔されることなく、容易に清掃することができる。清掃が終了した後は、取っ手50を把持して下方に動かすことによって、初期状態に戻すことができる。
【００３０】
本発明は、上述の実施例の特定の形態に限定されない。たとえば、ガスバーナ本体32の配置や、枠体16の形状は本実施例の形状に限られず、さらにデザイン性を重視したもの等であってもよい。また、ガス導入管20の配置場所に合わせてガスノズル26のパイプ部分の形状を、本発明が実施できる限りにおいて適宜の形状にとっても構わない。ガスレンジ10に使用されるガス燃料は、都市ガス、プロパンガスの他、カセットコンロ等のガス燃料として用いられるブタンガス等であってよく、たとえば、ガス燃料としてブタンガスを使用する場合には、ガスレンジ10は、全体としてカセットコンロとしての利用に適した構成がとられる。
【００３１】
さらに、本実施例において五徳36は、ガスバーナ本体32の外周側に設置されて、ガスバーナ本体32と一体となって上げ下げされる構成をとっているが、前述のとおり、五徳36をガスバーナ本体32から分離可能、すなわち利用者が自在に着脱可能な構成を採用してもよい。この構成を採用した場合における天板18の清掃作業の際には、五徳をガスバーナ本体32から取り外した後にガスバーナ14を跳ね上げれば、容易に天板の清掃作業が行える。
【００３２】
またさらに、ガスバーナ14の形状や能力、その他の条件によって、二次空気の量や方向を制御して燃焼効率を上げることが望ましい場合もありうる。そのような場合には、たとえば円筒状の形状をした二次空気制御板60を、ガスバーナ本体32を円筒内部に配置するようにして、枠体16や五徳36、ガスバーナ本体32等に付加してもよい。このように二次空気制御板60が配置されることによって、ガスバーナ本体32は、より効率よく二次空気を吸入できることとなる。図７は二次空気制御板60をガスコンロ10の枠体16に付加した実施例における平面図であり、図８はこの実施例の側面図である。また、図９はこの実施例において、ガスバーナ14を跳ね上げた状態を示す正面図である。もちろん、二次空気制御板60の形状は円筒状に限られず、二次空気の制御に資する限りで適宜の形状を採用しうる。
【図面の簡単な説明】
【００３３】
【図１】本発明に係るガスコンロの実施例を示す平面図である。
【図２】図１に示すガスコンロの正面図である。
【図３】同実施例の側面図である。
【図４】同実施例において、ガスバーナを跳ね上げた状態を示す正面図である。
【図５】図４に示すガスバーナを跳ね上げた状態の側面を示す図である。
【図６】図１における一点鎖線矢印VIから見た断面を示す図である。
【図７】本発明に係る第２のガスコンロの実施例を示す平面図である。
【図８】図７に示すガスコンロの側面図である。
【図９】第２の実施例において、ガスバーナを跳ね上げた状態を示す正面図である。
【符号の説明】
【００３４】
10  ガスコンロ
12  ガスコンロ本体
14  ガスバーナ
16  枠体
20  ガス導入管
46  支持部材
48  連結部材
52  接続部材
54  ヒンジ
58  Ｏリング
【図１】
2009168372.tif 000003
【図２】
2009168372.tif 000004
【図３】
2009168372.tif 000005
【図４】
2009168372.tif 000006
【図５】
2009168372.tif 000007
【図６】
2009168372.tif 000008
【図７】
2009168372.tif 000009
【図８】
2009168372.tif 000010
【図９】
2009168372.tif 000011